(57)【特許請求の範囲】
【請求項１】
温室であって、横枠体と、縦枠体と、トップカバーと、空気により膨張する膨脹式の保温システムと、回転軸とを備え、
前記縦枠体は左右に設けられ、前記縦枠体には横枠体が設けられ、前記横枠体にはトップカバーが設けられており、前記横枠体の左右両側にはそれぞれ回転軸が設けられ、前記縦枠体の上端にはそれぞれ回転軸が設けられており、
前記膨脹式の保温システムは空気圧縮機と、除塵機と、除水機と、乾燥機と、定圧及び排気制御システムと、保温覆いとを含み、前記空気圧縮機と、除塵機と、除水機と、乾燥機と、定圧及び排気制御システムと、保温覆いとは管路により順に連結されており、前記保温覆いは前記横枠体と縦枠体の内部に設けられて空気により膨張するものであり、
前記保温覆いの一端が固定され、他端が前記回転軸に連結されて、前記回転軸は前記横枠体における保温覆い及び前記縦枠体における保温覆いを移動させる、ことを特徴とする温室。
【請求項２】
前記定圧及び排気制御システムには排気弁が設けられている、ことを特徴とする請求項１に記載の温室。
【請求項３】
前記回転軸には牽引ロープが設けられている、ことを特徴とする請求項１に記載の温室。
【請求項４】
前記トップカバーは三角形状を呈する、ことを特徴とする請求項１に記載の温室。
【請求項５】
前記トップカバーは半球体である、ことを特徴とする請求項１に記載の温室。
【請求項６】
前記保温覆いの内部はハニカム状を呈する、ことを特徴とする請求項１に記載の温室。
【請求項７】
前記保温覆いの内部は複数の田の字を組み合わせた形状を呈する、ことを特徴とする請求項１に記載の温室。
【請求項８】
前記保温覆いの外部には熱放射反射メッキ層が設けられている、ことを特徴とする請求項１に記載の温室。
【発明の詳細な説明】
【技術分野】
【０００１】
本発明は保温技術の分野に関し、特に膨脹式保温システムを有する連棟温室に関する。
【背景技術】
【０００２】
大型連棟温室は、オランダ、イスラエル、ドイツ、米国などの先進国における精密農業の発展に広く利用され、近代化された農業の主要な生産方式の１つとなっている。近年、中国は海外から多くの近代化された連棟温室を導入した。しかしながら、ほとんどは、エネルギー消費が大きく、管理が不十分であり、最終的に維持できなくなる。
【０００３】
夜間、連棟温室の屋根及び四方の側面から伝熱された熱量が多く、かつ連棟温室に外層の被覆物を追加しにくく、内部の保温システムはただ単層又は多層の薄い保温材であり、かつ密閉できないため、連棟温室は、冬は内外温度差が大きく、保温性能が悪く、冬は安定性維持のためのエネルギー消費が大きく、冬は正常な越冬生産ができない。
【発明の概要】
【発明が解決しようとする課題】
【０００４】
前記欠陥に鑑みて、本発明は膨脹式保温システムを有する連棟温室を提供する。
【課題を解決するための手段】
【０００５】
従来技術における欠陥を克服するために、本発明は膨脹式保温システムを有する連棟温室を提供する。前記連棟温室は、フレキシブル結合溝により横枠体、縦枠体と連結されて、保温覆いが連棟温室の内部の上層、四方の側壁に安定的な多層空気保温層を形成して、温室内部の熱量を最大限に保証し、温室の熱散逸を少なくする。
【０００６】
本発明は、以下の技術的手段により実現される。
連棟温室は、横枠体と、縦枠体と、トップカバーと、膨脹式の保温システムと、回転軸とを備え、前記縦枠体は左右に設けられ、前記縦枠体には横枠体が設けられ、前記横枠体にはトップカバーが設けられており、前記横枠体の左右両側には回転軸が設けられ、前記縦枠体の上端には回転軸が設けられており、前記膨脹式の保温システムは空気圧縮機と、除塵機と、除水機と、乾燥機と、定圧及び排気制御システムと、保温覆いとを含み、前記空気圧縮機と、除塵機と、除水機と、乾燥機と、定圧及び排気制御システムと、保温覆いとは管路により順に連結されており、前記保温覆いは前記横枠体と縦枠体の内部に設けられている。
【０００７】
好ましくは、前記定圧及び排気制御システムには排気弁が設けられている。前記排気弁は、前記定圧及び排気制御システムが、前記空気室に圧力が一定である気体を供給するように制御することができる。
【０００８】
好ましくは、前記回転軸には牽引ロープが設けられている。
【０００９】
好ましくは、前記保温覆いは膨脹式の保温覆いである。
【００１０】
好ましくは、前記トップカバーは三角形状を呈する。
【００１１】
好ましくは、前記トップカバーは半球体である。
【００１２】
好ましくは、前記保温覆いの内部はハニカム状を呈する。
【００１３】
好ましくは、前記保温覆いの内部は多重の田の字状を呈する。
【００１４】
好ましくは、前記保温覆いの外部には熱放射反射メッキ層が設けられている。
【００１５】
好ましくは、前記保温覆いの外部には、外側が硬く内側がフレキシブルで上下左右端が密封されたフレキシブル結合溝が設けられ、密封保温の機能を有する。
【発明の効果】
【００１６】
従来技術と比べて、本発明による連棟温室の優れた効果は以下のとおりである。前記連棟温室は、フレキシブル結合溝により横枠体、縦枠体と連結されて、保温覆いが連棟温室の内部の上層、四方の側壁に安定的な多層空気保温層を形成して、温室内部の熱量を最大限に保証し、温室の熱散逸を少なくする。構造が簡単であり、製造コスト及びメンテナンスコストが低く、空気対流を形成しにくく、保温性能を向上させる。
【図面の簡単な説明】
【００１７】
【図１】図１は、本発明に係る膨脹式保温システムを有する連棟温室の構成図である。
【図２】図２は、本発明に係る膨脹式の保温システムの構成を示すブロック図である。
【図３】図３は、本発明に係る保温覆いの断面構造模式図である。
【図４】図４は、本発明に係るトップカバーが半球体である膨脹式保温システムを有する連棟温室の構成図である。
【図５】図５は、本発明に係るフレキシブル結合溝の側面図である。
【符号の説明】
【００１８】
１−横枠体、  ２−縦枠体、  ３−トップカバー、  ４−膨脹式の保温システム、  ４１−空気圧縮機、  ４２−除塵機、  ４３−除水機、  ４４−乾燥機、  ４５−定圧及び排気制御システム、  ４６−保温覆い、  ５−回転軸、  ６−フレキシブル結合溝。
【発明を実施するための形態】
【００１９】
下記では図面と具体的実施例を用いて、本発明について詳細に説明する。
【００２０】
図１〜５に示すように、連棟温室は、横枠体１と、縦枠体２と、トップカバー３と、膨脹式の保温システム４と、回転軸５とを備え、前記縦枠体２は左右に設けられ、前記縦枠体２には横枠体１が設けられ、前記横枠体１にはトップカバー３が設けられており、前記横枠体１の左右両側には回転軸５が設けられ、前記縦枠体２の上端には回転軸５が設けられており、前記膨脹式の保温システム４は空気圧縮機４１と、除塵機４２と、除水機４３と、乾燥機４４と、定圧及び排気制御システム４５と、保温覆い４６とを含み、前記空気圧縮機４１と、除塵機４２と、除水機４３と、乾燥機４４と、定圧及び排気制御システム４５と、保温覆い４６とは管路（図示せず）により順に連結されており、前記保温覆い４６は前記横枠体１と縦枠体２の内部に設けられている。
【００２１】
前記回転軸５には牽引ロープ（図示せず）が設けられている。
【００２２】
前記トップカバー３は三角形状を呈する。前記トップカバー３は半球状を呈する。
【００２３】
前記定圧及び排気制御システム４５には排気弁（図示せず）が設けられている。前記排気弁は、前記定圧及び排気制御システム４５が、前記保温覆い４６に圧力が一定である気体を供給するように制御することができる。
【００２４】
前記保温覆い４６の内部はハニカム状を呈する。前記保温覆い４６の内部は多重の田の字状を呈する。
【００２５】
前記保温覆い４６は膨脹式の保温覆いである。
【００２６】
前記保温覆い４６の外部には熱放射反射メッキ層（図示せず）が設けられている。
【００２７】
前記保温覆い４６の外部には、外側が硬く内側がフレキシブルで上下左右端が密封されたフレキシブル結合溝６が設けられている。前記フレキシブル結合溝６は密封保温の機能を有する。
【００２８】
前記保温覆い４６は連棟温室横枠体１に置かれ、前記保温覆い４６の左端が固定され、右端が回転軸５に連結され、前記回転軸５には牽引ロープが設けられ、モータ（図示せず）により回転軸５の移動を牽引する。前記空気圧縮機４１をオンして、外部の空気は空気圧縮機４１により除塵機４２、除水機４３、及び乾燥機４４を順に通過し、最後に定圧及び排気制御システム４５に進入する。前記除塵機４２は空気に対して除塵を行い、前記除水機４３は空気に対して除水を行い、前記乾燥機４４は空気に対して乾燥を行う。前記定圧及び排気制御システム４５を通過した後、処理された空気は保温覆い４６に進入し、加圧され続けることによって、前記保温覆い４６は安定的な形状を形成し、且つ前記保温覆い４６は膨張し、同時に、密封保温の効果を達成するように、フレキシブル結合溝と結合される。前記保温覆い４６が設定圧力に達すると、前記空気圧縮機４１の動作は停止する。保温覆い４６の圧力が不足する場合、空気圧縮機４１は再び動作を開始する。
【００２９】
前記回転軸５は横枠体１における保温覆い４６を左右移動させ、縦枠体２における保温覆い４６を上下移動させる。
【００３０】
晴天時は、前記回転軸５は横枠体１における保温覆い４６を一端へ移動させ、縦枠体２における保温覆い４６を上向きに移動させ、太陽光照射を利用するとともに、排気弁により圧力を下げる。
曇天又は夜間は、前記回転軸５は保温覆い４６を逆の向きに移動させ、かつ、前記保温覆い４６が設定圧力に達するまで、前記空気圧縮機４１はオンされ、室内に保温効果を奏する。
【００３１】
本発明の前記空気圧縮機４１、除塵機４２、除水機４３、乾燥機４４、及び排気弁はいずれも従来技術における装置である。
【００３２】
本発明は、上記実施形態に限定されるものではない。本発明の実質内容から逸脱せずに、当業者が想到できるすべての変形、修正、置換は本発明の範囲内にある。
【図１】
0006266791.tif 000002
【図２】
0006266791.tif 000003
【図３】
0006266791.tif 000004
【図４】
0006266791.tif 000005
【図５】
0006266791.tif 000006